(57)【特許請求の範囲】
【請求項１】
照明装置と、該照明装置の光出射面の側に重ねて配置された液晶パネルと、を有する液晶表示装置であって、
前記照明装置は、
前記光出射面の面内方向で交差する第１方向および第２方向のうち、前記第１方向に延在する側端面が光入射部とされた導光板と、
前記光入射部に発光面を向ける光源と、
を有し、
前記導光板の前記光出射面に対向する反対面には、前記第２方向に長手方向を向けて当該第２方向に直線状に並ぶ複数のグルーブを備えたグルーブ列が前記第１方向で複数、並列するように設けられた拡散反射面が形成され、
前記光源は、前記第１方向で複数のブロックに分割されており、
前記液晶パネルに対する駆動に連動して前記光源の発光量を前記ブロック毎に切り換える光源駆動部を有していることを特徴とする液晶表示装置。
【請求項２】
前記グルーブの前記光入射部側に位置する端部の存在密度は、前記光入射部が位置する側から前記第２方向に離間するにともなって上昇していることを特徴とする請求項１に記載の液晶表示装置。
【請求項３】
前記グルーブの前記端部のピッチが、前記グルーブ列内において前記光入射部が位置する側から前記第２方向に離間するにともなって縮小していることを特徴とする請求項２に記載の液晶表示装置。
【請求項４】
前記グルーブ列内において前記グルーブの前記第２方向における寸法が同一であり、
前記第２方向で隣り合う前記グルーブ間の離間距離が、前記グルーブ列内において前記光入射部が位置する側から前記第２方向に離間するにともなって縮小していることを特徴とする請求項３に記載の液晶表示装置。
【請求項５】
前記グルーブ列内において前記第２方向で隣り合う前記グルーブ間の離間距離が等しく、
前記グルーブの前記第２方向における寸法が、前記グルーブ列内において前記光入射部が位置する側から前記第２方向に離間するにともなって縮小していることを特徴とする請求項３に記載の液晶表示装置。
【請求項６】
前記グルーブの前記第１方向における寸法が、前記グルーブ列内において前記光入射部が位置する側から前記第２方向に離間するにともなって拡大していることを特徴とする請求項２に記載の液晶表示装置。
【請求項７】
前記光入射部および前記光源は、前記導光板において前記第２方向の両側に位置する側端面に設けられていることを特徴とする請求項１乃至６の何れか一項に記載の液晶表示装置。
【請求項８】
前記グルーブは、レーザービームの照射により形成されてなることを特徴とする請求項１乃至７の何れか一項に記載の液晶表示装置。
【請求項９】
請求項１乃至８の何れか一項に記載の液晶表示装置を備えていることを特徴とする電子機器。
【請求項１０】
光出射面の面内方向で交差する第１方向および第２方向のうち、前記第１方向に延在する側端面が光入射部とされた導光板と、
前記光入射部に発光面を向ける光源と、
を有し、
前記導光板の前記光出射面に対向する反対面には、前記第２方向に長手方向を向けて当該第２方向に直線状に並ぶ複数のグルーブを備えたグルーブ列が前記第１方向で複数、並列するように設けられた拡散反射面が形成され、
前記光源は、前記第１方向で複数のブロックに分割されており、
前記光源の発光量を前記ブロック毎に切り換える光源駆動部を有していることを特徴とする照明装置。
【発明の詳細な説明】
【技術分野】
【０００１】
本発明は、導光板および光源を備えた照明装置を有する液晶表示装置、該液晶表示装置を備えた電子機器、および当該照明装置に関するものである。
【背景技術】
【０００２】
透過型の液晶パネルを備えた液晶表示装置は、例えば、図１４に示すように、導光板１０８０においてＸ軸方向に延在する側端面からなる光入射部１０８０ａに光源１８９０が配置された照明装置１００８を有しており、導光板１０８０の光出射面１０８０ｂ側に液晶パネルが重ねて配置されている。かかる照明装置１００８に関しては、照明光の出射強度を高めることを目的に、導光板１０８０において光出射面１０８０ｂに対向する下面１０８０ｃに、光入射部１０８０ａの延在方向であるＸ軸方向に長手方向を向けるグルーブ１０８６を多数形成した構成が提案されている（特許文献１参照）。
【０００３】
かかる構成の照明装置１００８において、光源１８９０から出射された光は、矢印Ｌ１１で示すように、光入射部１０８０ａから導光板１０８０の内部に入射した後、導光板１０８０の内部で全反射を繰り返しながら導光板１０８０の内部を進行する。そして、矢印Ｌ１２で示すように、Ｘ軸方向に平行に延在するグルーブ１０８６の側面１８６７で光が反射、拡散することにより、矢印Ｌ１３で示すように、光出射面１０８０ｂから照明光が出射される。その際、グルーブ１０８６においてＸ軸方向の両方の端部１８６８、１８６９で反射した光は、様々な方向に進むことにより、導光板１０８０の光出射面１０８０ｂから出射される照明光の均一性を高める。
【先行技術文献】
【特許文献】
【０００４】
【特許文献１】特開２００８−１０８８８号公報
【発明の概要】
【発明が解決しようとする課題】
【０００５】
しかしながら、特許文献１のように、Ｘ軸方向（光入射部１０８０ａの延在方向）に長手方向を向けるグルーブ１０８６を設けた場合、グルーブ１０８６の側面１８６７は、導光板１０８０内で光が進行する方向と交差するため、導光板１０８０内でＹ軸方向に進行する光成分がグルーブ１０８６によって減少しすぎる。このため、導光板１０８０から出射された照明光においては、光入射部１０８０ａ付近での照明光の強度が強くなりすぎ、その分、光入射部１０８０ａから離間した位置での照明光の強度が低くなりすぎるという問題点がある。かかる問題点を解消するためには、光入射部１０８０ａに近い領域と、光入射部１０８０ａから離間した領域とにおいてグルーブ１０８６の密度を相違させるという構成が考えられるが、液晶パネルの大型化に伴って導光板１０８０を大型化した場合、グルーブ１０８６の密度の調整では上記の問題点を解消できないという問題点がある。
【０００６】
また、液晶表示装置においては、コントラストの向上や残像の緩和等を目的に、光源１８９０をＸ軸方向に沿って複数にブロック化してブロック毎に光源１８９０の発光量を制御するローカルディミング方式を採用することがある。この場合、図１４に示す照明装置１００８を採用すると、グルーブ１０８６の側面１８６７、Ｘ軸方向の両方の端部１８６８、１８６９で光が反射拡散する結果、隣接する領域への光の漏れが大きすぎてローカルディミング方式を採用した効果が小さいという問題点がある。
【０００７】
以上の問題点に鑑みて、本発明の課題は、光源から出射された光が導光板内を進行しやすくすることにより、導光板からの照明光の出射特性を向上することのできる液晶表示装置、該液晶表示装置を備えた電子機器、および当該照明装置を提供することにある。
【課題を解決するための手段】
【０００８】
上記課題を解決するために、本発明は、照明装置と、該照明装置の光出射面の側に重ねて配置された液晶パネルと、を有する液晶表示装置であって、前記照明装置は、前記光出射面の面内方向で交差する第１方向および第２方向のうち、前記第１方向に延在する側端面が光入射部とされた導光板と、前記光入射部に発光面を向ける光源と、を有し、前記導光板の前記光出射面に対向する反対面には、前記第２方向に長手方向を向けて当該第２方向に直線状に並ぶ複数のグルーブを備えたグルーブ列が前記第１方向で複数、並列するように設けられていることを特徴とする。
【０００９】
本発明では、導光板において第１方向に延在する側端面が光入射部とされており、光源から出射された光は、光入射部から導光板の内部に入射した後、導光板の内部で全反射を繰り返しながら導光板の内部を進行する。そして、グルーブで光が反射、拡散し、光出射面から照明光が出射される。ここで、グルーブは、第２方向（導光板内で光が進行する方向）に長手方向を向けているため、導光板内において、光の一部は、グルーブの間を通って第２方向において光入射部から離間する方向に進行するとともに、グルーブの第２方向に平行な側面において反射することにより、第２方向においては光入射部から離間する方向に進行する。このため、光入射部から離間した位置での照明光の強度が高めることができる。また、導光板内において、光の一部は、グルーブにおいて光入射部が位置する側の端部で反射して第１方向に進行するので、第１方向へも光が進行する。それ故、液晶パネルおよび導光板を大型化した場合でも、第１方向および第２方向の双方において照明光の強度分布を均一化することができる。
【００１０】
本発明において、前記光源は、前記第１方向で複数のブロックに分割されており、前記液晶パネルに対する駆動に連動して前記光源の発光量を前記ブロック毎に切り換える光源駆動部を有している構成を採用することができる。かかる構成を採用した場合でも、グルーブは、第２方向（導光板内で光が進行する方向）に長手方向を向けているため、第１方向への光の拡散反射が主として発生する箇所が、グルーブの光源側の端部のみであり、グルーブの第２方向に平行な側面においては光を反射させ光入射部から離間する方向に進行させる。このため、ローカルディミングやスキャンバックライト方式を行った際、導光板において隣接する領域への光の漏れを低く抑えることができるので、コントラストの向上や残像の緩和等を効果的に図ることができる。
【００１１】
本発明において、前記グルーブの前記光入射部側に位置する端部の存在密度は、前記光入射部が位置する側から前記第２方向に離間するにともなって上昇していることが好ましい。かかる構成によれば、照明光の強度分布を第２方向で均一化することができる。
【００１２】
かかる構成は、例えば、前記グルーブの前記端部のピッチが、前記グルーブ列内において前記光入射部が位置する側から前記第２方向に離間するにともなって縮小していることにより実現することができる。
【００１３】
例えば、前記グルーブ列内において前記グルーブの前記第２方向における寸法が同一であり、前記第２方向で隣り合う前記グルーブ間の離間距離が、前記グルーブ列内において前記光入射部が位置する側から前記第２方向に離間するにともなって縮小している構成を採用することができる。
【００１４】
また、前記グルーブ列内において前記第２方向で隣り合う前記グルーブ間の離間距離が等しく、前記グルーブの前記第２方向における寸法が、前記グルーブ列内において前記光入射部が位置する側から前記第２方向に離間するにともなって縮小している構成を採用してもよい。
【００１５】
本発明において、前記グルーブの前記第１方向における寸法が、前記グルーブ列内において前記光入射部が位置する側から前記第２方向に離間するにともなって拡大している構成を採用してもよい。
【００１６】
本発明において、前記光入射部および前記光源は、前記導光板において前記第２方向の両側に位置する側端面に設けられていることが好ましい。
【００１７】
本発明において、前記グルーブは、レーザービームの照射により形成されてなることが好ましい。
【００１８】
本発明を適用した液晶表示装置は、液晶テレビ等の電子機器に用いられる。
【００１９】
また、本発明に係る照明装置は、光出射面の面内方向で交差する第１方向および第２方向のうち、前記第１方向に延在する側端面が光入射部とされた導光板と、前記光入射部に発光面を向ける光源と、を有し、前記導光板の前記光出射面に対向する反対面には、前記第２方向に長手方向を向けて当該第２方向に直線状に並ぶ複数のグルーブを備えたグルーブ列が前記第１方向で複数、並列するように設けられていることを特徴とする。
【００２０】
本発明では、導光板において第１方向に延在する側端面が光入射部とされており、光源から出射された光は、光入射部から導光板の内部に入射した後、導光板の内部で全反射を繰り返しながら導光板の内部を進行する。そして、グルーブで光が反射、拡散し、光出射面から照明光が出射される。ここで、グルーブは、第２方向（導光板内で光が進行する方向）に長手方向を向けているため、光は、導光板内で第２方向に進行しやすい。このため、光入射部から離間した位置での照明光の強度が高めることができる。それ故、導光板を大型化した場合でも、照明光の強度分布を均一化することができる。
【図面の簡単な説明】
【００２１】
【図１】本発明の実施の形態１に係る液晶表示装置を備えた液晶テレビ（電子機器）の説明図である。
【図２】本発明の実施の形態１に係る液晶表示装置の全体構成を示す説明図である。
【図３】本発明の実施の形態１に係る液晶表示装置をさらに細かく分解したときの分解斜視図である。
【図４】本発明の実施の形態１に係る液晶表示装置の断面図である。
【図５】本発明の実施の形態１に係る液晶表示装置の照明装置に用いた光源用基板周辺の構成を示す説明図である。
【図６】本発明の実施の形態１に係る液晶表示装置の照明装置に用いた導光板の説明図である。
【図７】図６に示す導光板から照明光が出射される様子を示す説明図である。
【図８】図６に示す導光板の製造方法を示す説明図である。
【図９】本発明の実施の形態２に係る液晶表示装置を備えた液晶テレビ（電子機器）の説明図である。
【図１０】本発明の実施の形態２に係る液晶表示装置の照明装置に用いた導光板の平面構成を示す説明図である。
【図１１】本発明の実施の形態３に係る液晶表示装置に用いた導光板のグルーブの平面的構成を示す説明図である。
【図１２】本発明の実施の形態４に係る液晶表示装置に用いた導光板のグルーブの平面的構成を示す説明図である。
【図１３】本発明の実施の形態５に係る液晶表示装置に用いた導光板のグルーブの平面的構成を示す説明図である。
【図１４】従来の導光板の説明図である。
【発明を実施するための形態】
【００２２】
図面を参照して、液晶テレビ用の液晶表示装置に本発明を適用した形態を説明する。なお、以下の説明で参照する図においては、各層や各部材を図面上で認識可能な程度の大きさとするため、各層や各部材毎に縮尺を異ならしめてある。また、以下の説明では、導光板や液晶パネルの面内方向で互いに交差する方向をＸ軸方向（第１方向）およびＹ軸方向（第２方向）とし、Ｘ軸方向およびＹ軸方向に交差する方向をＺ軸方向（第３方向）とする。また、以下に参照する図面では、Ｘ軸方向の一方側をＸ１側とし、他方側をＸ２側とし、Ｙ軸方向の一方側をＹ１側とし、他方側をＹ２側とし、Ｚ軸方向の一方側（導光板の背面側９をＺ１側（下側）とし、他方側（照明光や表示光が出射される側）をＺ２側（上側）として表してある。なお、本形態において、導光板や液晶パネルの長辺方向をＸ軸方向とし、短辺方向をＹ軸方向としてある。
【００２３】
［実施の形態１］
（全体構成）
図１は、本発明の実施の形態１に係る液晶表示装置を備えた液晶テレビ（電子機器）の説明図であり、図１（ａ）、（ｂ）は、液晶テレビの外観を模式的に示す説明図、および液晶表示装置の電気的構成を示すブロック図である。
【００２４】
図１（ａ）に示す電子機器２０００は液晶テレビであり、液晶表示装置１００やテレビ用のフレーム２０１０等を有している。液晶表示装置１００は、後述する液晶パネル１０と、液晶パネル１０に画像信号を供給する画像信号供給部２７０と、液晶パネル１０に照明光を供給する照明装置８とを有している。また、液晶表示装置１００は、液晶パネル１０においてＸ軸方向（第１方向）に延在する走査線を駆動する走査線駆動回路１０４と、液晶パネル１０においてＹ軸方向（第２方向）に延在するデータ線を駆動するデータ線駆動回路１０１とを有している。走査線駆動回路１０４およびデータ線駆動回路１０１については、双方が液晶パネル１０に内蔵された構成を採用することができる。また、走査線駆動回路１０４およびデータ線駆動回路１０１のうちの一方が液晶パネル１０に内蔵され、他方が液晶パネル１０とは別体の駆動用ＩＣに内蔵された構成や、走査線駆動回路１０４およびデータ線駆動回路１０１の双方が液晶パネル１０とは別体の駆動用ＩＣに内蔵された構成を採用することができる。また、走査線駆動回路１０４およびデータ線駆動回路１０１のうちの一方が液晶パネル１０に内蔵され、他方が液晶パネル１０にＣＯＧ実装された駆動用ＩＣに内蔵された構成等を採用することができる。
【００２５】
本形態において、照明装置８は、液晶パネル１０に重ねて配置された導光板８０と、導光板８０の側端面のうち、光入射部８０ａとされた側端面に沿って光源８９０として配置された複数の発光素子８９と、複数の発光素子８９が実装された光源用基板８８と、発光素子８９を駆動する光源駆動部２８０とを有している。本形態において、液晶パネル１０は四角形であり、４つの辺１０ａ、１０ｂ、１０ｃ、１０ｄを有している。これらの辺１０ａ、１０ｂ、１０ｃ、１０ｄのうち、辺１０ａはＹ軸方向の一方側Ｙ１に位置する長辺であり、辺１０ｂはＹ軸方向の他方側Ｙ２に位置する長辺であり、辺１０ｃはＸ軸方向の一方側Ｘ１に位置する短辺であり、辺１０ｄはＸ軸方向の他方側Ｘ２に位置する短辺である。かかる形状に対応して、導光板８０は、４つの側端面８０１、８０２、８０３、８０４を有している。これらの側端面８０１、８０２、８０３、８０４のうち、側端面８０１はＹ軸方向の一方側Ｙ１の長辺に位置し、側端面８０２はＹ軸方向の他方側Ｙ２の長辺に位置し、側端面８０３はＸ軸方向の一方側Ｘ１の短辺に位置し、側端面８０４はＸ軸方向の他方側Ｘ２の短辺に位置する。本形態では、導光板８０の４つの側端面８０１、８０２、８０３、８０４のうち、短辺方向（Ｙ軸方向）で対向する位置で長辺方向（Ｘ軸方向）に延在する２つの側端面８０１、８０２が光入射部８０ａになっている。このため、発光素子８９は、導光板８０の２つの側端面８０１、８０２（光入射部８０ａ）に沿って配列され、光源用基板８８は、導光板８０の２つの側端面８０１、８０２（光入射部８０ａ）に沿って延在している。
【００２６】
（液晶表示装置１００の具体的構成）
図２は、本発明の実施の形態１に係る液晶表示装置１００の全体構成を示す説明図であり、図２（ａ）、（ｂ）は、液晶表示装置１００の斜視図および分解斜視図である。図３は、本発明の実施の形態１に係る液晶表示装置１００をさらに細かく分解したときの分解斜視図である。図４は、本発明の実施の形態１に係る液晶表示装置１００の断面図であり、図４（ａ）、（ｂ）は、液晶表示装置１００を図１（ａ）のＡ−Ａ′線に沿って切断したときの断面図、および液晶表示装置１００を図１（ａ）のＢ−Ｂ′線に沿って切断したときの断面図である。
【００２７】
図２、図３および図４において、本形態の液晶表示装置１００は、概ね、いわゆるバックライト装置と称せられる照明装置８と、この照明装置８の上面側（光出射面側）に重ねて配置された透過型の液晶パネル１０とを備えている。液晶表示装置１００において、照明装置８は、導光板８０の背面側（Ｚ軸方向の一方側Ｚ１）を覆って配置された金属製の第１フレーム４０（下金枠）と、第１フレーム４０の上方で液晶パネル１０の端部を保持するとともに照明装置８を囲って保持する樹脂製の第２フレーム３０（樹脂フレーム）と、第２フレーム３０の上側（Ｚ軸方向の他方側Ｚ２）に配置された金属製の第３フレーム５０（上金枠）とを備えている。
【００２８】
第２フレーム３０は、液晶パネル１０の端部を保持するとともに液晶パネル１０の周りを囲む矩形枠状を有しており、本形態において、第２フレーム３０は、液晶パネル１０の４つの辺に対応して辺毎に分割された４本のフレーム板３１、３２、３３、３４で構成されている。第２フレーム３０は黒色であり、光吸収部材として機能することによって、照明装置８内での迷光の発生を防止する。フレーム板３１、３２、３３、３４は各々、フレーム板３１、３２、３３、３４の外面側で下方に延在する側板部３１１、３２１、３３１、３４１と、側板部３１１、３２１、３３１、３４１の上端縁から内側に向かって屈曲した上板部３１５、３２５、３３５、３４５（端板部）と、上板部３１５、３２５、３３５、３４５の高さ方向の途中位置から内側に張り出した突板部３１２、３２２、３３２、３４２とを備えている。このため、フレーム板３１〜３４の内側には、突板部３１２、３２２、３３２、３４２によって段部３１３、３２３、３３３、３４３が形成されており、かかる段部３１３、３２３、３３３、３４３と突板部３１２、３２２、３３２、３４２とによって液晶パネル１０が保持されている。また、突板部３１２、３２２、３３２、３４２の下側には、照明装置８の導光板８０や発光素子８９等が配置されている。
【００２９】
第１フレーム４０は、ＳＵＳ板等の薄い金属板に対するプレス加工等により形成されてなる。第１フレーム４０は、底板部４５と、底板部４５の外周縁のうち、Ｙ軸方向の一方側Ｙ１を除く３つの辺から起立する３つの側板部４２〜４４とを備えており、上面が開口する矩形の箱状になっている。かかる第１フレーム４０の側板部４２〜４４の外側に第２フレーム３０の側板部３２１、３３１、３４１が重なっている。また、第２フレーム３０の側板部３１１は、第１フレーム４０のＹ軸方向の一方側Ｙ１を覆っている。
【００３０】
第３フレーム５０も、第１フレーム４０と同様、ＳＵＳ板等の薄い金属板に対するプレス加工等により形成されてなる。第３フレーム５０は、矩形の上板部５５（端板部）と、上板部５５の外周縁から下方に折れ曲がった４つの側板部５１〜５４とを備えており、下面が開口する矩形の枠状になっている。側板部５１〜５４は、第２フレーム３０の側板部３１１、３２１、３３１、３４１の外側に重なっている。上板部５５には、液晶パネル１０から出射された光を出射する矩形の窓５５０が形成されており、上板部５５は、液晶パネル１０の表示光出射側のうち、外周端部を全周にわたって覆っている。また、第３フレーム５０の上板部５５は、同時に、第２フレーム３０の上板部３１５、３２５、３３５、３４５（端板部）の上方を完全に覆って設置されている。
【００３１】
このように構成した第３フレーム５０、第２フレーム３０、および第１フレーム４０はネジ（図示せず）等により結合されて、内側に液晶パネル１０や照明装置８を納めた状態で保持する。ここで、第２フレーム３０の突板部３１２、３２２、３３２、３４２の下面および上面には、図４に示すように、可撓性シート７１、７２が貼られている。このため、液晶表示装置１００を組み立てた際、液晶パネル１０は可撓性シート７２を介して突板部３１２、３２２、３３２、３４２に支持される。また、液晶表示装置１００を組み立てた際、照明装置８の光学シート（拡散シート１８２、プリズムシート１８３、１８４等）は可撓性シート７１を介して浮きや位置ズレが生じないように抑えられている。
【００３２】
（液晶パネル１０の構成）
図２、図３および図４に示すように、液晶パネル１０は、四角形の平面形状を有しており、画素電極（図示せず）等が形成された素子基板１１と、素子基板１１に対して所定の隙間を介して対向配置された対向基板１２と、この対向基板１２と素子基板１１とを貼り合せる矩形枠状のシール材１４とを備えている。かかる液晶パネル１０では、シール材１４で囲まれた領域内に液晶層１３が保持されている。素子基板１１および対向基板１２はガラス基板等の透光性基板からなる。素子基板１１では、Ｘ軸方向に複数本の走査線（図示せず）が延在している一方、Ｙ軸方向には複数本のデータ線（図示せず）が延在しており、走査線とデータ線との交差に対応して、スイッチング素子（図示せず）および画素電極（図示せず）が設けられている。
【００３３】
本形態では、対向基板１２が表示光の出射側に配置され、素子基板１１は照明装置８の側に配置されている。また、対向基板１２において、素子基板１１と対向する面には、シール材１４の４つの辺の内縁に沿って、矩形枠状の遮光層からなる額縁層１２０が形成されており、額縁層１２０の内縁により規定された領域が画像表示領域１００ａである。なお、第３フレーム５０の上板部５５の内縁は、額縁層１２０の幅方向の途中位置にあり、第３フレーム５０の窓５５０は、画像表示領域１００ａおよび額縁層１２０の内周部分と重なっている。
【００３４】
液晶パネル１０は、ＴＮ（Twisted Nematic）方式、ＥＣＢ（Electrically Controlled Birefringence）方式、あるいはＶＡＮ（Vertical Aligned Nematic）方式の液晶パネルとして構成されており、素子基板１１に画素電極が形成され、対向基板１２に共通電極（図示せず）が形成されている。なお、液晶パネル１０がＩＰＳ（In Plane Switching）方式や、ＦＦＳ（Fringe Field Switching）方式の液晶パネルである場合、共通電極は、素子基板１１の側に設けられる。また、素子基板１１が対向基板１２に対して表示光の出射側に配置されることもある。液晶パネル１０の上面には上偏光板１８が重ねて配置され、液晶パネル１０の下面と照明装置８との間には下偏光板１７が配置されている。
【００３５】
本形態において、素子基板１１は対向基板１２より大きい。このため、素子基板１１は、Ｙ軸方向の一方側Ｙ１において、対向基板１２の端部から張り出した張り出し部分１１０を有しており、かかる張り出し部分１１０の上面にはフレキシブル配線基板２００が接続されている。フレキシブル配線基板２００は、リジット基板からなる回路基板２５０に接続されており、かかる回路基板２５０には、図１を参照して説明した画像信号供給部２７０を構成する制御用ＩＣ（図示せず）や、光源駆動部２８０を構成する光源駆動用ＩＣ（図示せず）が実装されている。
【００３６】
（照明装置８の構成）
図５は、本発明の実施の形態１に係る液晶表示装置１００の照明装置８に用いた光源用基板８８周辺の構成を示す説明図であり、図５（ａ）、（ｂ）は、光源用基板８８の一方面８８１側の様子を模式的に示す説明図、および光源用基板８８の他方面８８２側の様子を模式的に示す説明図である。なお、導光板８０のＹ軸方向で相対向する２つの側端面８０１、８０２（光入射部８０ａ）に配置された発光素子８９や光源用基板８８の構成は同一である。従って、図５（ａ）には、導光板８０の側端面８０２に配置された発光素子８９や光源用基板８８を示し、図５（ｂ）には、導光板８０の側端面８０１に配置された光源用基板８８等を示してある。
【００３７】
図３および図４に示すように、照明装置８は、液晶パネル１０の下面側に重ねて配置された導光板８０と、導光板８０の光入射部８０ａに発光面８９ａを向けて光入射部８０ａの一方端側（Ｘ軸方向の一方側Ｘ１）から他方端側（Ｘ軸方向の他方側Ｘ２）に向かって配列された複数の発光素子８９とを備えている。本形態において、複数の発光素子８９は、光入射部８０ａに沿ってＸ軸方向に延在する光源用基板８８の一方面８８１に実装されている。発光素子８９は、白色光を出射するＬＥＤ（Light Emitting Diode）であり、光源光を発散光として出射する。
【００３８】
本形態の照明装置８において、導光板８０の側端面８０１、８０２、８０３、８０４のうち、Ｙ軸方向で相対向する２つの側端面８０１、８０２が光入射部８０ａとして利用されている。このため、複数の発光素子８９は、導光板８０の２つの光入射部８０ａ（側端面８０１、８０２）に発光面８９ａを向け、２つの光入射部８０ａ（側端面８０１、８０２）の各々の一方端側から他方端側に向かって配列されている。また、光源用基板８８は、２つの光入射部８０ａ（側端面８０１、８０２）に沿って２枚が延在しており、かかる２枚の光源用基板８８の各々の一方面８８１に複数の発光素子８９が実装されている。
【００３９】
本形態において、導光板８０は、アクリル樹脂、ポリメチルスチレン樹脂、ポリカーボネート樹脂等からなる透光性の樹脂板であり、導光板８０の下面８０ｃ（光出射面８０ｂとは反対側の面／反対面）と第１フレーム４０の底板部４５との間には反射シート１８７が重ねて配置されている。導光板８０に用いる樹脂板は、押出成形や射出成形等により形成される。
【００４０】
導光板８０の上面（光出射面８０ｂ）と液晶パネル１０との間には拡散シート１８２、プリズムシート１８３、１８４等の光学シートが重ねて配置されている。拡散シート１８２は、アクリル樹脂やポリカーボネート樹脂等の透光性樹脂にシリカ粒子等を分散したコーティング層を備えたシートからなる。本形態において、２枚のプリズムシート１８３、１８４は、互いの稜線が直交するように配置されている。このため、導光板８０の光出射面８０ｂから出射された照明光は、拡散シート１８２によって全方向に拡散した後、２枚のプリズムシート１８３、１８４によって、液晶パネル１０の正面方向にピークを持つような指向性が付与されている。また、図６等を参照して後述するように、導光板８０において、反射シート１８７が位置する下面８０ｃには、線状の微細な凹部からなる複数のグルーブ８６が形成されている。
【００４１】
第１フレーム４０の底板部４５は、導光板８０において光入射部８０ａとなる側端面８０１、８０３が位置する側と重なる領域において、導光板８０の下面８０ｃと第１フレーム４０との間に隙間が確保できるように段差が部分的に形成されており、導光板８０に向けて折れ曲がっている。それにより、導光板８０の下面８０ｃと底板部４５との間に反射シート１８７と光源支持部材６０の下板部６１とを隙間の間で挟持可能になっている。また、第１フレーム４０の底板部４５を導光板８０に向けて部分的に折り曲げたことによって第１フレーム４０の背面側には凹部が形成されるので、第１フレーム４０の底板部４５の下面（背面）までフレキシブル配線基板２００を折り曲げて延在させるとともに、かかる凹部内に回路基板２５０が凹部の深さ内に収納されるように配置されている。このため、照明装置８の薄型化を図ることができる。
【００４２】
本形態において、光源用基板８８は、発光素子８９が実装されている一方面８８１が導光板８０の光入射部８０ａに対向するように配置されている。また、光源用基板８８は、光入射部８０ａに沿って延在する板状の金属板８８７（支持板）の一方面８８１側に、配線パターンやランドが絶縁層とともに設けられた構造を有している。かかる構成は、金属板８８７の一方面８８１側に、樹脂基材層、配線パターンおよび絶縁保護層等がこの順に積層されたフレキシブル配線基板８８８を貼り合わせることにより実現することができる。従って、金属板８８７と、配線パターンおよび発光素子８９のチップが実装されるランドは電気的に絶縁性が確保されている。本形態において、金属板８８７はアルミニウム板からなり、金属板８８７は、光源用基板８８の機械的強度を確保するとともに、発光素子８９から発熱される熱の放熱板としても機能する。
【００４３】
図３、図４および図５に示すように、２枚の光源用基板８８の他方面８８２側には、光源用基板８８を保持する光源支持部材６０が各々配置されており、光源支持部材６０は、第１フレーム４０および第２フレーム３０の間に配置されて保持されている。本形態において、光源支持部材６０は、光源用基板８８の他方面８８２に沿って延在する棒状の金属部品であり、光源用基板８８の他方面８８２の全面と以下支持板部６２の基板保持面６２０において面接触状態で密着して固定されている。また、光源支持部材６０は、第１フレーム４０の底板部４５に重なる下板部６１と、下板部６１の幅方向の途中位置から上方に突出した壁面を構成する支持板部６２とを有している。また、光源支持部材６０は、支持板部６２から導光板８０が位置する側とは反対側に折れ曲がった上板部６３を支持板部６２の上端（下板部６１と反対の側）側に備えており、上板部６３は、ネジ等によって第３フレーム５０の上板部５５、および第２フレーム３０の上板部３１５、３２５の少なくともいずれか一方に固定されている。
【００４４】
かかる構成の光源支持部材６０において、支持板部６２の導光板８０が位置する側の面は、光源用基板８８を保持する基板保持面６２０になっており、ネジ等によって、基板保持面６２０には光源用基板８８が固定されている。この状態で、光源用基板８８は、他方面８８２（金属板８８７）が光源支持部材６０の基板保持面６２０に面接触状態で重なっている。また、光源支持部材６０は、アルミニウムや鉄系金属等の金属製である。このため、発光素子８９で発生した熱は、光源用基板８８の金属板８８７から光源支持部材６０に伝達され、光源支持部材６０の熱は第１フレーム４０に伝達される。従って、発光素子８９の温度上昇を低く抑えることができる。
【００４５】
（導光板８０の構成）
図６は、本発明の実施の形態１に係る液晶表示装置１００の照明装置８に用いた導光板８０の説明図であり、図６（ａ）、（ｂ）、（ｃ）は、導光板８０を下面８０ｃ側からみた底面図、グルーブ８６を下面８０ｃ側からみた斜視図、およびグルーブ８６を下面８０ｃ側からみた底面図である。図７は、図６に示す導光板８０から照明光が出射される様子を示す説明図であり、図７（ａ）、（ｂ）、（ｃ）は、導光板８０に入射した光が導光板８０内を進行しながら照明光として出射される様子を示す断面図、導光板８０内で光がグルーブ８６で反射する様子を示す断面図、およびグルーブ８６で光が反射する様子を光出射面８０ｂ側からみたときの説明図である。
【００４６】
図６および図７に示すように、導光板８０の下面８０ｃは、線状溝からなるグルーブ８６が複数形成された拡散反射面になっている。本形態において、導光板８０では、複数の発光素子８９が配列されたＸ軸方向（第１方向）に延在する側端面８０１、８０２が光入射部８０ａになっており、導光板８０の下面８０ｃにおいて、グルーブ８６（線状溝）は、光入射部８０ａに直交するようにＹ軸方向（第２方向）に長手方向を向けるように形成されている。また、導光板８０の下面８０ｃでは、Ｙ軸方向に直線状に延在するグルーブ８６が、グルーブ８６の延長線上に複数並んでグルーブ列８６０を構成しており、かかるグルーブ列８６０はＸ軸方向で複数、並列するように設けられている。本形態において、グルーブ８６は、いずれも同一の長さ寸法であり、グルーブ列８６０内において等間隔に並んでいる。このため、グルーブ列８６０内において、Ｙ軸方向で隣り合うグルーブ８６の離間距離は一定である。また、Ｘ軸方向において、グルーブ列８６０は等間隔に形成されている。
【００４７】
ここで、グルーブ８６は、Ｙ軸方向に長手方向を向けた長丸の平面形状を有しており、Ｙ軸方向の両方の端部８６８、８６９は半円形の平面形状を有している。また、グルーブ８６においてＸ軸方向の両側に位置する半円形の側面８６７（外周面）は、Ｙ軸方向に直線的に延在している。また、グルーブ８６のＸＺ横断面におけるＺ方向（頂部）に相当する部分の内底部は、３０μｍ〜８０μｍ程度の曲率半径を有する半円形である。また、グルーブ８６の開口幅（Ｘ軸方向における幅）は、例えば１００μｍ〜３００μｍであり、グルーブ８６の深さ（Ｚ軸方向における長さ）は、例えば１００μｍ〜７００μｍである。
【００４８】
このように構成した照明装置８において、発光素子８９から出射された光は、矢印Ｌ１で示すように、光入射部８０ａから入射した後、導光板８０の内部で全反射を繰り返しながら導光板８０の内部を進行する。その際、矢印Ｌ２で示すように、グルーブ８６の発光素子８９側の端部８６８で反射した光の一部は、光出射面８０ｂに向けて進行し、矢印Ｌ３で示すように、光出射面８０ｂから照明光として出射される。また、グルーブ８６の発光素子８９側の端部８６８で反射した光の一部は、矢印Ｌ４で示すように、Ｘ軸方向の一方側Ｘ１および他方側Ｘ２に向けて、一方側Ｘ１の成分、および他方側Ｘ２の成分を多く含んだ状態で進行する。
【００４９】
また、導光板８０の内部を進行する光の一部は、矢印Ｌ５で示すように、グルーブ８６の間を通って、Ｙ軸方向において発光素子８９から離間する方向に進行する。また、導光板８０の内部を進行する光の一部は、矢印Ｌ６で示すように、グルーブ８６の側面８６７（半円形の外周面）で反射し、Ｙ軸方向において発光素子８９から離間する方向に進行する。かかる光も、発光素子８９から離間する位置でグルーブ８６の発光素子８９側の端部８６８で反射し、光出射面８０ｂから照明光として出射される。
【００５０】
（導光板８０の製造方法）
図８は、図６に示す導光板８０の製造方法を示す説明図である。図６および図７を参照して説明した導光板８０を製造するにあたっては、図８に示すように、押出成形や射出成形により導光板用の樹脂板８０ｗを形成した後、樹脂板８０ｗの一方面（導光板８０の下面８０ｃ）が上方に向くように樹脂板８０ｗをＸＹステージ（図示せず）上に載置する。そして、炭酸ガスレーザーやフェトム秒レーザーのレーザービームＬａを樹脂板８０ｗに照射し、照射位置において樹脂板８０ｗを構成する高分子材料を溶融、揮発させることにより、グルーブ８６を形成する。本形態では、レーザー装置から出射されたレーザー光から４本のレーザービームＬａを生成する。
【００５１】
より具体的には、４本のレーザービームＬａを所定のタイミングでオン−オフさせる一方、ＸＹステージを移動させることにより樹脂板８０ｗをＹ軸方向に移動させ、レーザービームＬａの照射位置をＹ軸方向に相対的に移動させ、４列分のグルーブ列８６０を同時に形成する。また、４列分のグルーブ列８６０を形成した後は、ＸＹステージの移動により樹脂板８０ｗをＸ軸方向に相対的に移動させ、先に形成した４列分のグルーブ列８６０に対してＸ軸方向にずれた位置に新たな４列分のグルーブ列８６０を形成する。かかる工程を繰り返すことにより、導光板８０の略全体にわたって、グルーブ８６を形成する。その際、樹脂板８０ｗのＹ軸方向の移動速度やレーザービームＬａをオン−オフさせるタイミングを調整すれば、グルーブ８６の長さやピッチを制御することができ、レーザービームＬａの間隔、および樹脂板８０ｗのＸ軸方向の移動量を調整すれば、Ｘ軸方向でのグルーブ列８６０のピッチを制御することができる。また、レーザービームＬａのパワーを調整すれば、グルーブ８６の深さ（Ｚ軸方向の深度）を制御することができ、レーザービームＬａのビーム径を調整すれば、グルーブ８６の幅寸法（Ｘ軸方向における幅および太さ）を制御することができる。
【００５２】
（本形態の主な効果）
以上説明したように、本形態の液晶表示装置１００および照明装置８では、導光板８０においてＸ軸方向（第１方向／光入射部８０ａが延在する方向／複数の発光素子が配列される方向）に延在する側端面８０１、８０２が光入射部８０ａとされており、光源８９０（発光素子８９）から出射された光は、光入射部８０ａから導光板８０の内部に入射した後、導光板８０の内部で全反射を繰り返しながら導光板８０の内部を進行する。そして、グルーブ８６で光が反射、拡散し、光出射面８０ｂから照明光が出射される。ここで、グルーブ８６は、Ｙ軸方向（第２方向／導光板８０内で光が進行する方向）に長手方向を向けているため、導光板８０内において、光の一部は、グルーブ８６の間を通ってＹ軸方向において光入射部８０ａから離間する方向に進行するとともに、一部は、グルーブ８６の側面８６７で反射してＹ軸方向において光入射部８０ａから離間する方向に進行する。つまり、Ｘ軸方向における光の広がり（拡散）を抑えた状態で、Ｙ軸方への光の直進性が強まることになる。このため、光入射部８０ａから離間した位置での照明光の強度を高めることができる。また、導光板８０内において、光の一部は、グルーブ８６において光入射部８０ａが位置する側の端部８６８で反射してＸ軸方向に進行するので、Ｘ軸方向へも光が進行する。それ故、液晶パネル１０および導光板８０を大型化した場合でも、Ｘ軸方向およびＹ軸方向の双方において照明光の強度分布を均一化することができる。
【００５３】
［実施の形態２］
図９は、本発明の実施の形態２に係る液晶表示装置１００を備えた液晶テレビ（電子機器）の説明図であり、図９（ａ）、（ｂ）は、液晶テレビの外観を模式的に示す説明図、および表示装置の電気的構成を示すブロック図である。図１０は、本発明の実施の形態２に係る液晶表示装置１００の照明装置８に用いた導光板８０の平面構成を示す説明図である。なお、本形態の基本的な構成は、実施の形態１と同様であることから、共通する部分には同一の符号を付して図示し、それらの説明を省略する。
【００５４】
図９に示す電子機器２０００は液晶テレビであり、実施の形態１と同様、液晶パネル１０および照明装置８を備えた液晶表示装置１００を有している。
【００５５】
かかる液晶表示装置１００において、本形態では、液晶パネル１０での駆動に対応させて照明装置８からの照明光の出射強度を領域毎に制御することにより、コントラストの向上が図られている。より具体的には、本形態の液晶表示装置１００では、まず、画像表示領域１００ａは複数の領域に分割されている。本形態において、画像表示領域１００ａは、Ｙ軸方向で２分割され、Ｘ軸方向で５分割されている。このため、画像表示領域１００ａは、計１０の領域１００ｂ1〜１００ｂ10に分割されている。また、本形態では、液晶パネル１０で表示される画像の領域１００ｂ1〜１００ｂ10毎の輝度に応じ、高い輝度で表示される領域には照明装置８から強度が大の照明光を出射し、低い輝度で表示される領域には照明装置８から強度が小の照明光を出射する。かかるローカルディミング方式によれば、コントラストの向上、さらには低消費電力化を図ることができる。
【００５６】
ローカルディミング方式を採用するにあたって、本形態の液晶表示装置１００では、図１０に示すように、導光板８０は、画像表示領域１００ａの領域１００ｂ1〜１００ｂ10に重なるように複数の領域８０ｂ1〜８０ｂ10に区分けされ、発光素子８９（光源８９０）も、導光板８０の領域８０ｂ1〜８０ｂ10に対応して、Ｘ軸方向及びＹ軸方向に分割された複数のブロック８９ｂ1〜８９ｂ10にブロック化されている。なお、発光素子のブロック化に伴って導光板８０を複数の領域８０ｂ1〜８０ｂ10に区分けするにあたっては、領域８０ｂ1〜８０ｂ10毎に導光板８０を分割した構成を採用してもよいが、１枚の導光板８０を仮想的に複数の領域８０ｂ1〜８０ｂ10に区分してもよい。また、導光板８０を複数の領域８０ｂ1〜８０ｂ10に区分けするにあたっては、導光板８０を領域８０ｂ1〜８０ｂ5からなるブロックと、領域８０ｂ6〜８０ｂ10からなるブロックに分割した構成をとり、それぞれのブロックにおいて仮想的に複数の領域８０ｂ1〜８０ｂ5および領域８０ｂ6〜８０ｂ10に区分してもよい。この様にすれば、導光板内を進行してきた光がＹ軸方向（光の出射方向・進行方向）で隣接する２つのブロック間で混ざることを低減でき、ローカルディミングの効果を更に高めることが可能である。なお、Ｘ軸方向で隣接するブロック間は、本発明の効果により光の混ざりが低減されるが、Ｙ軸方向で隣接するブロック間にいては、導光板が分割されていないとそのまま光が隣接ブロックに突き抜けて進行してしまいブロック間で光が混ざることになる。
【００５７】
さらに、導光板８０を複数の領域８０ｂ1〜８０ｂ10に区分けするにあたっては、Ｙ軸方向に隣接する２つの領域（領域８０ｂ1、８０ｂ6、領域８０ｂ2、８０ｂ7、領域８０ｂ3、８０ｂ8、領域８０ｂ4、８０ｂ9、および領域８０ｂ5、８０ｂ10）を各々、Ｙ軸方向では分割されず繋がった１つのブロックとして形成し、Ｘ軸方向では全体として５つに分割したブロックからなる構成を採用し、それぞれのブロックにおいて照明光の輝度を調整してもよい。このようにすれば、実施の形態１のように、同一の長さ寸法のグルーブがＹ軸方向で等間隔に並んでいても、それぞれのブロックの両端である側端面８０１側、８０２側からそれぞれ光が入射されるので、光入射部８０ａから離間しても光出射面８０ｂから出射される照明光の低下が無くなる。
【００５８】
かかる構成に対応して、液晶表示装置１００には、図９に示すように、画像信号より液晶パネル１０の領域１００ｂ1〜１００ｂ10毎の輝度を検出する輝度分布検出部２９０が設けられており、光源駆動部２８０は、輝度分布検出部２９０での検出結果に基づいて、複数の発光素子８９からの出射強度をブロック８９ｂ1〜８９ｂ10に制御する。なお、光源駆動部２８０は、同一のブロック８９ｂ1〜８９ｂ10に属する発光素子８９には同一の駆動電流を供給する。
【００５９】
このように構成した液晶表示装置１００および照明装置８においても、本形態では、実施の形態１と同様、導光板８０では、Ｘ軸方向（第１方向）に延在する側端面８０１、８０２が光入射部８０ａになっており、導光板８０の下面８０ｃにおいて、グルーブ８６は、光入射部８０ａに直交するように、Ｙ軸方向（第２方向）に長手方向を向けるように形成されている。また、導光板８０の下面８０ｃでは、グルーブ８６がＹ軸方向に直線状に並ぶグルーブ列８６０がＸ軸方向で複数、並列するように設けられており、本形態において、グルーブ８６は、グルーブ列８６０内において等間隔に並んでいる。
【００６０】
従って、本形態の液晶表示装置１００および照明装置８では、実施の形態１と同様、図６および図７を参照して説明したように、導光板８０内において、光の一部は、グルーブ８６の間を通ってＹ軸方向において光入射部８０ａから離間する方向に進行するとともに、一部は、グルーブ８６の側面８６７で反射してＹ軸方向において光入射部８０ａから離間する方向に進行する。このため、光入射部８０ａから離間した位置での照明光の強度を高めることができる。また、導光板８０内において、光の一部は、グルーブ８６において光入射部８０ａが位置する側の端部８６８で反射してＸ軸方向に進行するので、Ｘ軸方向へも光が進行する。それ故、液晶パネル１０および導光板８０を大型化した場合でも、Ｘ軸方向およびＹ軸方向の双方において照明光の強度分布を均一化することができる。
【００６１】
また、本形態において、グルーブ８６は、Ｙ軸方向に長手方向を向けているため、Ｘ軸方向への光の拡散反射が主として発生する箇所が、グルーブ８６の光源８９０側の端部８６８のみである。このため、ローカルディミングを行った際、導光板８０において隣接する領域への光の漏れを低く抑えることができるので、残像の緩和等を効果的に図ることができる。
【００６２】
［実施の形態３］
図１１は、本発明の実施の形態３に係る液晶表示装置１００に用いた導光板８０のグルーブ８６の平面的構成を示す説明図である。なお、本形態の基本的な構成は、実施の形態１と同様であることから、共通する部分には同一の符号を付して図示し、それらの説明を省略する。
【００６３】
図１１に示すように、本形態でも、実施の形態１、２と同様、導光板８０では、Ｘ軸方向（第１方向）に延在する側端面が光入射部８０ａになっており、導光板８０の下面８０ｃにおいて、グルーブ８６は、光入射部８０ａに直交するように、Ｙ軸方向（第２方向）に長手方向を向けるように形成されている。また、導光板８０の下面８０ｃでは、グルーブ８６がＹ軸方向に直線状（延長線上）に複数並ぶグルーブ列８６０がＸ軸方向で複数、並列するように設けられており、本形態において、グルーブ８６は、Ｘ軸方向において等間隔に並んでいる。
【００６４】
このように構成した導光板８０において、グルーブ８６は、Ｙ軸方向に長手方向を向けているため、Ｘ軸方向およびＺ軸方向への光の拡散反射が主として発生する箇所は、グルーブ８６の光源８９０側の端部８６８である。そこで、本形態では、グルーブ８６の光入射部８０ａ側に位置する端部８６８の存在密度は、光入射部８０ａが位置する側からＹ軸方向に離間するにともなって上昇している。かかる構成を実現するにあたって、本形態では、各グルーブ８６の幅寸法Ｗｘは一定であるが、グルーブ８６の端部８６８のピッチＰｙ1、Ｐｙ2、Ｐｙ3、・・は、以下の関係式
Ｐｙ1＞Ｐｙ2＞Ｐｙ3・・
に示すように、グルーブ列８６０内において光入射部８０ａが位置する側からＹ軸方向に離間するにともなって縮小している。より具体的には、グルーブ列８６０内において、グルーブ８６のＹ軸方向における長さ寸法Ｌｙは同一であるが、Ｙ軸方向で隣り合うグルーブ８６間の離間距離Ｓｙ1、Ｓｙ2、Ｓｙ3、・・は、以下の関係式
Ｓｙ1＞Ｓｙ2＞Ｓｙ3・・
に示すように、グルーブ列８６０内において光入射部８０ａが位置する側からＹ軸方向に離間するにともなって縮小している。
【００６５】
このため、Ｘ軸方向およびＺ軸方向への光の拡散反射が発生する度合いは、光入射部８０ａが位置する側からＹ軸方向に離間するにともなって上昇している。それ故、照明光の強度分布をＹ軸方向で均一化することができる。
【００６６】
［実施の形態４］
図１２は、本発明の実施の形態４に係る液晶表示装置１００に用いた導光板８０のグルーブ８６の平面的構成を示す説明図である。なお、本形態の基本的な構成は、実施の形態１と同様であることから、共通する部分には同一の符号を付して図示し、それらの説明を省略する。
【００６７】
図１２に示すように、本形態でも、実施の形態１、２と同様、導光板８０では、Ｘ軸方向（第１方向）に延在する側端面が光入射部８０ａになっており、導光板８０の下面８０ｃにおいて、グルーブ８６は、光入射部８０ａに直交するように、Ｙ軸方向（第２方向）に長手方向を向けるように形成されている。また、導光板８０の下面８０ｃでは、グルーブ８６がＹ軸方向に直線状に並ぶグルーブ列８６０がＸ軸方向で複数、並列するように設けられており、本形態において、グルーブ８６は、Ｘ軸方向において等間隔に並んでいる。
【００６８】
このように構成した導光板８０においても、本形態では、実施の形態３と同様、グルーブ８６の光入射部８０ａ側に位置する端部８６８の存在密度は、光入射部８０ａが位置する側からＹ軸方向に離間するにともなって上昇している。かかる構成を実現するにあたって、本形態では、各グルーブ８６の幅寸法Ｗｘは一定であるが、グルーブ８６の端部８６８のピッチＰｙ1、Ｐｙ2、Ｐｙ3、・・は、以下の関係式
Ｐｙ1＞Ｐｙ2＞Ｐｙ3・・
に示すように、グルーブ列８６０内において光入射部８０ａが位置する側からＹ軸方向に離間するにともなって縮小している。より具体的には、グルーブ列８６０内において、Ｙ軸方向で隣り合うグルーブ８６間の離間距離Ｓｙは一定であるが、グルーブ８６のＹ軸方向における長さ寸法Ｌｙ1、Ｌｙ2、Ｌｙ3、・・は、以下の関係式
Ｌｙ1＞Ｌｙ2＞Ｌｙ3・・
に示すように、グルーブ列８６０内において光入射部８０ａが位置する側からＹ軸方向に離間するにともなって縮小している。
【００６９】
このため、Ｘ軸方向およびＺ軸方向への光の拡散反射が発生する度合いは、光入射部８０ａが位置する側からＹ軸方向に離間するにともなって上昇している。それ故、照明光の強度分布をＹ軸方向で均一化することができる。
【００７０】
［実施の形態５］
図１３は、本発明の実施の形態５に係る液晶表示装置１００に用いた導光板８０のグルーブ８６の平面的構成を示す説明図である。なお、本形態の基本的な構成は、実施の形態１と同様であることから、共通する部分には同一の符号を付して図示し、それらの説明を省略する。
【００７１】
図１３に示すように、本形態でも、実施の形態１、２と同様、導光板８０では、Ｘ軸方向（第１方向）に延在する側端面が光入射部８０ａになっており、導光板８０の下面８０ｃにおいて、グルーブ８６は、光入射部８０ａに直交するように、Ｙ軸方向（第２方向）に長手方向を向けるように形成されている。また、導光板８０の下面８０ｃでは、グルーブ８６がＹ軸方向に直線状に並ぶグルーブ列８６０がＸ軸方向で複数、並列するように設けられており、本形態において、グルーブ８６は、グルーブ列８６０内において等間隔に並んでいる。
【００７２】
このように構成した導光板８０においても、本形態では、実施の形態３と同様、グルーブ８６の光入射部８０ａ側に位置する端部８６８の存在密度は、光入射部８０ａが位置する側からＹ軸方向に離間するにともなって上昇している。かかる構成を実現するにあたって、本形態では、グルーブ８６の端部８６８のピッチＰｙ、グルーブ８６の長さ寸法Ｌｙ、グルーブ８６の離間距離Ｓｙは同一であるが、グルーブ８６のＸ軸方向における幅寸法Ｗｘ1、Ｗｘ2、Ｗｘ3、・・は、以下の関係式
Ｗｘ1＜Ｗｘ2＜Ｗｘ3・・
に示すように、グルーブ列８６０内において光入射部８０ａが位置する側からＹ軸方向に離間するにともなって拡大している。
【００７３】
このため、Ｘ軸方向およびＺ軸方向への光の拡散反射が発生する度合いは、光入射部８０ａが位置する側からＹ軸方向に離間するにともなって上昇している。それ故、照明光の強度分布をＹ軸方向で均一化することができる。
【００７４】
［他の実施の形態］
上記実施の形態では、走査線の延在方向（Ｘ軸方向）に複数の発光素子８９を配列させた構成を例示したが、データ線の延在方向（Ｙ軸方向）に複数の発光素子８９を配列させた液晶表示装置１００に本発明を適用してもよい。かかる構成の場合、ローカルディミングを採用することができるとともに、走査信号によって選択された画素列がシフトしている動作に対応して、照明装置８から照明光が出射されるスキャンバックライト方式を採用することができる。それ故、動画性能の向上が可能となる。
【００７５】
［電子機器への搭載例］
上述実施形態では、液晶表示装置１００を搭載した電子機器２０００として、液晶テレビを例示したが、液晶テレビ以外にも、パーソナルコンピューターのディスプレイ、デジタルサイネージ、カーナビゲーション装置、携帯用情報端末等の電子機器の表示部に本発明を適用した液晶表示装置１００を用いてもよい。
【符号の説明】
【００７６】
８・・照明装置、１０・・液晶パネル、８０・・導光板、８０ａ・・光入射部、８０ｂ・・光出射面、８０ｃ・・下面（反対面）、８０ｗ・・樹脂板、８６・・グルーブ、８９・・発光素子（光源）、１００・・液晶表示装置、１００ａ・・画像表示領域、８６０・・グルーブ列、８９０・・光源
【図１】
0005776401.tif 000002
【図２】
0005776401.tif 000003
【図３】
0005776401.tif 000004
【図４】
0005776401.tif 000005
【図５】
0005776401.tif 000006
【図６】
0005776401.tif 000007
【図７】
0005776401.tif 000008
【図８】
0005776401.tif 000009
【図９】
0005776401.tif 000010
【図１０】
0005776401.tif 000011
【図１１】
0005776401.tif 000012
【図１２】
0005776401.tif 000013
【図１３】
0005776401.tif 000014
【図１４】
0005776401.tif 000015